(57)【要約】      （修正有）【課題】目地プレート支持部の寸法を抑えることができるとともに、面接触状態でカバープレートを支持できるカバープレート支持体及び床用目地装置を提供する。【解決手段】一方と他方の躯体３，４間の目地部２を塞ぐ目地プレート７とこの目地プレートに一部が支持されるカバープレート８を有する床用目地装置１に用いられるカバープレート支持体９であって、床用目地プレートに一端部が接続されるとともに、その上面でカバープレートを支持する目地プレート側支持板１６と、この目地プレート側支持板に接続され、かつ、その上面でカバープレートを支持する他方の躯体側支持板１７とで構成され、地震によって目地部の幅が変化した場合には、目地プレート側支持板と他方の躯体側支持板の重なり幅が増減して地震による揺れ動きを吸収するとともに、カバープレートを支持する。【選択図】図１
2019157484.tif 000002
【特許請求の範囲】
【請求項１】
一方と他方の躯体間の目地部を塞ぐ目地プレートとこの目地プレートに一部が支持されるカバープレートを有する床用目地装置に用いられるカバープレート支持体であって、前記床用目地プレートに一端部が接続されるとともに、その上面で前記カバープレートを支持する目地プレート側支持板と、この目地プレート側支持板に接続され、かつ、その上面で前記カバープレートを支持する他方の躯体側支持板とで構成され、
地震によって目地部の幅が変化した場合には、前記目地プレート側支持板と前記他方の躯体側支持板の重なり幅が増減して地震による揺れ動きを吸収するとともに、前記カバープレートを支持することができるカバープレート支持体。
【請求項２】
前記他方の躯体側支持板は、前記他方の躯体に接続される端部支持板と、前記目地プレート側支持板と前記端部支持板の間に介在する中間支持板とで構成されていることを特徴とする請求項１に記載のカバープレート支持体。
【請求項３】
前記中間支持板を所定の位置に位置させる位置調節手段を更に備えることを特徴とする請求項２に記載のカバープレート支持体。
【請求項４】
前記中間支持板の上面及び底面には、滑り材を備えることを特徴とする請求項２又は請求項３のいずれかに記載のカバープレート支持体。
【請求項５】
一方と他方の躯体間の目地部を塞ぐ床用目地装置であって、前記一方の躯体に設けられた第１の目地プレート支持部と、前記他方の躯体に設けられた凹所状の第２の目地プレート支持部と、前記第１の目地プレート支持部に一端部が支持されているとともに、前記第２の目地プレート支持部に他端部が支持される目地プレートと、前記他方の躯体に一端部側が取り付けられているとともに、他端部が前記目地プレートに支持されたカバープレートと、前記カバープレートの底面を支持するカバープレート支持体とを備え
前記カバープレート支持体は、前記目地プレートに一端部が接続されるとともに、その上面で前記カバープレートを支持する目地プレート側支持板と、この目地プレート側支持板に接続され、かつ、その上面で前記カバープレートを支持する他方の躯体側支持板とで構成され、
地震によって目地部の幅が変化した場合には、前記目地プレート側支持板と前記他方の躯体側支持板の重なり幅が増減して地震による揺れ動きを吸収するとともに、前記カバープレートを支持することができる床用目地装置。
【請求項６】
前記他方の躯体側支持板は前記他方の躯体に接続される端部支持板と、前記目地プレート側支持板と前記端部支持板の間に介在する中間支持板とで構成されていることを特徴とする請求項４に記載の床用目地装置。
【請求項７】
前記中間支持板を所定の位置に位置させる位置調節手段を更に備えることを特徴とする請求項５に記載の床用目地装置。
【請求項８】
前記中間支持板の上面及び底面には、滑り材を備えることを特徴とする請求項６又は請求項７のいずれかに記載の床用目地装置。
【請求項９】
１枚の目地プレート側支持板と、この目地プレート側支持板に他方の躯体側に拡開するように接続された他方の躯体側支持板１７からなるカバープレート支持体と、１対の目地プレート側支持板と、この目地プレート側支持板に他方の躯体側に収束するように接続された他方の躯体側支持板からなる第２のカバープレート支持体とを用い、カバープレート支持体と第２のカバープレート支持体を前後方向に交互に配置したことを特徴とする請求項５乃至請求項８のいずれかに記載の床用目地装置。
【発明の詳細な説明】
【技術分野】
【０００１】
本発明は目地部を介して設けられた躯体の間の目地部を塞ぐ床用目地装置及び床用目地装置に用いられるカバープレート支持体に関する。
【背景技術】
【０００２】
従来、目地プレート及びカバープレートを用いて床面間の目地部を塞ぐ床用目地装置としては、例えば特許文献１が存在する。この特許文献１には、「対向する左右の躯体３、３の各床躯体４、４のそれぞれの床面４ａ、４ａに対して、床目地プレート１１とカバープレート１２の各自由端部が重なり合うように接続すること」、「一方の床躯体４の床面４ａに矢印で示す左右方向に支持凹所５が形成され、この支持凹所内にカバープレートを支持する支持体等を有するカバープレート支持部材１３を配置すること」が記載されている。
【０００３】
上記床用目地装置では、カバープレート支持部材によってカバープレートが支持されているが、地震によって目地部が狭くなった際に、カバープレート支持部材が衝突しないように支持凹所の寸法を大きくする必要があった。
【０００４】
また、カバープレート支持部材は、ローラー状の部位でカバープレートを支持しているので、略点接触状態又は短い線接触状態での支持となるため、その支持範囲が狭く、カバープレートの一部に大きな荷重が加わった場合には、カバープレートが撓んでしまうという欠点があった。
【先行技術文献】
【特許文献】
【０００５】
【特許文献１】特開２０１４−１１８７８９号公報
【発明の概要】
【発明が解決しようとする課題】
【０００６】
本発明は以上のような従来の問題点に鑑み、凹所状の目地プレート支持部の寸法を抑えることができるとともに、面接触状態でカバープレートを支持できるカバープレート支持体及び床用目地装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明のカバープレート支持体は、一方と他方の躯体間の目地部を塞ぐ目地プレートとこの目地プレートに一部が支持されるカバープレートを有する床用目地装置に用いられるカバープレート支持体であって、前記床用目地プレートに一端部が接続されるとともに、その上面で前記カバープレートを支持する目地プレート側支持板と、この目地プレート側支持板に接続され、かつ、その上面で前記カバープレートを支持する他方の躯体側支持板とで構成され、地震によって目地部の幅が変化した場合には、前記目地プレート側支持板と前記他方の躯体側支持板の重なり幅が増減して地震による揺れ動きを吸収するとともに、前記カバープレートを支持することができることを特徴とする。
【０００９】
また、請求項２に記載のカバープレート支持体においては、前記支持板は前記他方の躯体に接続される端部支持板と、前記目地プレート側支持板と前記端部支持板の間介在する中間支持板とで構成されていることを特徴とする。
【００１０】
請求項３に記載のカバープレート支持体においては、前記中間支持板を所定の位置に位置させる位置調節手段を更に備えることを特徴とする。
請求項４に記載のカバープレート支持体においては、前記中間支持板の上面及び底面には、滑り材を備えることを特徴とする。
【００１１】
請求項５に記載の床用目地装置においては、一方と他方の躯体間の目地部を塞ぐ床用目地装置であって、前記一方の躯体に設けられた第１の目地プレート支持部と、前記他方の躯体に設けられた凹所状の第２の目地プレート支持部と、前記第１の目地プレート支持部に一端部が支持されているとともに、前記第２の目地プレート支持部に他端部が支持される目地プレートと、前記他方の躯体に一端部が取り付けられているとともに、他端部が前記目地プレートに支持されたカバープレートと、前記カバープレートの底面を支持するカバープレート支持体とを備え前記カバープレート支持体は、前記目地プレートに一端部が接続されるとともに、その上面で前記カバープレートを支持する目地プレート側支持板と、この目地プレート側支持板に一端部が接続され、他端部が前記他方の躯体に接続され、かつ、その上面で前記カバープレートを支持する単数又は複数の支持板とで構成され、地震によって目地部の幅が変化した場合には、前記目地プレート側支持板と前記支持板の重なり幅が増減して地震による揺れ動きを吸収するとともに、前記カバープレートを支持することができることを特徴とする。
【００１２】
請求項６に記載の床用目地装置においては、前記支持板は前記他方の躯体に接続される端部支持板と、前記目地プレート側支持板と前記端部支持板の間介在する中間支持板とで構成されていることを特徴とする。
【００１３】
請求項７に記載の床用目地装置においては、前記中間支持板を所定の位置に位置させる位置調節手段を更に備えることを特徴とする。
請求項８に記載の床用目地装置においては、前記中間支持板の上面及び底面には、滑り材を備えることを特徴とする。
【００１４】
請求項９に記載の床用目地装置においては、１枚の目地プレート側支持板と、この目地プレート側支持板に他方の躯体側に拡開するように接続された他方の躯体側支持板１７からなるカバープレート支持体と、１対の目地プレート側支持板と、この目地プレート側支持板に他方の躯体側に収束するように接続された他方の躯体側支持板からなる第２のカバープレート支持体とを用い、カバープレート支持体と第２のカバープレート支持体を前後方向に交互に配置したことを特徴とする。
【発明の効果】
【００１５】
以上の説明から明らかなように、本発明にあっては次に列挙する効果が得られる。
（１）請求項１及び請求項５に記載の各発明においては、上面がカバープレートの底面に当接する目地プレート側支持板及び他方の躯体側支持板によってカバープレートを支持しているので、カバープレートを面接触状態で支持することができ、カバープレートの一部に大きな荷重が加わった場合であっても、カバープレートが撓むことを防止することができる。
（２）地震によって目地部の幅が変化した場合には、前記目地プレート側支持板と前記他方の躯体側支持板の重なり幅が増減して地震による揺れ動きを吸収することができるので、第２の目地プレート支持部の寸法を抑えることができる。
（３）請求項２及び請求項６に記載の各発明においては、前記（１）〜（２）と同様な効果が得られるとともに、他方の躯体側支持板を端部支持板と単数又は複数の中間支持板とで構成しているので、地震による揺れ動き幅が大きな躯体であっても、適切な数の端部支持板及び中間支持板を用いることで、第２の目地プレート支持部の寸法を抑えることができる。
（４）請求項３及び請求項７に記載の各発明においては、前記（１）〜（３）と同様な効果が得られるとともに、中間支持板を所定の位置に位置させることができるので、カバープレートを偏りなく支持することができる。
（５）請求項４及び請求項８に記載の各発明においては、前記（１）〜（４）と同様な効果が得られるとともに、スムーズにスライド移動することができる。
（６）請求項９に記載の発明においては、前記（１）〜（５）と同様な効果が得られるとともに、より効率よくカバープレートを支持することができる。
【図面の簡単な説明】
【００１６】
図１乃至図１０は本発明の第１の実施形態を示す説明図である。
図１１乃至図１３は本発明の第２の実施形態を示す説明図である。
図１４乃至図１６は本発明の第３の実施形態を示す説明図である。
図１７乃至図１９は本発明の第４の実施形態を示す説明図である。
【図１】第１の実施形態の床用目地装置の平面図。
【図２】図１の２−２線に沿う断面図。
【図３】図１の３−３線に沿う断面図。
【図４】目地プレートの説明図。
【図５】カバープレートの説明図。
【図６】カバープレート支持体の説明図。
【図７】目地プレート側支持板の説明図。
【図８】他方の躯体側支持板の説明図。
【図９】地震で目地部が狭くなった動作説明図。
【図１０】地震で目地部が広くなった動作説明図。
【図１１】第２の実施形態の床用目地装置の平面図。
【図１２】図１１の１２−１２線に沿う断面図。
【図１３】カバープレート支持体の説明図。
【図１４】第３の実施形態の床用目地装置の平面図。
【図１５】図１４の１５−１５線に沿う断面図。
【図１６】カバープレート支持体の説明図。
【図１７】第４の実施形態の床用目地装置の平面図。
【図１８】図１７の１８−１８線に沿う断面図。
【図１９】第２のカバープレート支持体の説明図。
【図２０】第５の実施形態の床用目地装置の平面図。
【図２１】図２０の２１−２１線に沿う断面図。
【図２２】カバープレート支持体の説明図。
【図２３】中間支持板の説明図。
【発明を実施するための形態】
【００１７】
以下、図面に示す本発明を実施するための形態により、本発明を詳細に説明する。
図１乃至図１０に示す本発明を実施するための第１の形態において、１は目地部２を介して設けられた一方の躯体３と他方の躯体４間に設置された床用目地装置である。
なお、左右方向とは図９における左右方向であり、前後方向とは図３における左右方向をいい、上下方向とは図９における上下方向をいう。
【００１８】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１９】
この床用目地装置１は、図１及び図２に示すように、左右の躯体３、４の一方の躯体３に設けられた第１の目地プレート支持部５と、前記他方の躯体４に設けられた凹所状の第２の目地プレート支持部６と、前記第１の目地プレート支持部５に一端部７ａが支持されているとともに、前記第２の目地プレート支持部６に他端部７ｂが支持される目地プレート７と、前記他方の躯体４に一端部８ａが取り付けられているとともに、他端部８ｂが前記目地プレート７に支持されたカバープレート８と、カバープレート８の底面を支持するカバープレート支持体９とで構成されている。
【００２０】
第１の目地プレート支持部５は、例えば図２に示すように、本実施形態では、一方の躯体３の目地部２側の壁面３ａに固定され、かつ、前後方向に延在するレール状の金具により形成されている。この第１の目地プレート支持部５は、例えば図２に示すように、正面視略クランク状に形成されており、目地プレート７の一端部を取り付けた場合に、目地プレート７の上面と一方の躯体３の床面が略面一となるように壁面３ａに固定されている。
第２の目地プレート支持部６は、例えば図２に示すように、他方の躯体４の目地部側に凹所状に設けられており、目地プレート７の他端部７ｂは、この第２の目地プレート支持部６上にローラー等の滑動部材１０を介して支持されている。
【００２１】
目地プレート７は、例えば図４に示すように、一端部が前記第１の目地プレート支持部５に滑動部材１０を介して支持され、他端部が前記第２の目地プレート支持部６にそれぞれ滑動部材１０を介して支持された枠状の目地プレート支持部材１１と、該目地プレート支持部材１１の上面に固定された板状の目地プレート本体１２とで構成されている。
この目地プレート７の目地プレート支持部材１１には、複数個のバー状の補強部材１３が設けられており、これらの補強部材１３を設けることにより、目地プレート７の剛性や強度を向上させることができる。
【００２２】
カバープレート８は、図５に示すように、平面視方形状で金属製の板材で、一端部８ａがピン等の固定具１４によって他方の躯体４の床面に取り付けられており、他端部８ｂは前記目地プレート７の上面に支持されていて、第２の目地プレート支持部６を覆うように設けられている。
【００２３】
このカバープレート８の他端部８ｂは、本実施形態においては、他方の躯体４の目地部側壁面４ａと略面一となるような長さに形成されており、また、この他端部８ｂには段差を緩和できるように傾斜面１５を形成することが望ましい。
本実施形態では、他方の躯体の床面に直接ボルトやピン等の固定具１４でカバープレート８の一端部８ａを取り付けているが、他方の躯体４の床面に取付金具を介してカバープレート８を取り付けてもよい。
【００２４】
カバープレート支持体９は、図６等に示すように、目地プレート７の他端部７ｂ側の側面部に一端部が接続されるとともに、その上面カバープレート８の底面部を支持する目地プレート側支持板１６と、この目地プレート側支持板１６に一端部側が接続され、他端部が他方の躯体４に接続され、かつ、その上面でカバープレート８の底面を支持する他方の躯体側支持板１７とで構成されている。
【００２５】
このカバープレート支持体９は、前後方向に所定間隔を有して複数個設けることが望ましく、本実施形態では、前後方向に所定間隔を有して４つのカバープレート支持体９が設けられている。
【００２６】
目地プレート側支持板１６は、本実施形態では、所定の厚さを有する正面視長方形状の金属製の板材で、その一端部が連結ピン１８によって目地プレート７の他端部に取り付けられている。
【００２７】
この目地プレート側支持板１６の他端部側の両側面には、連結ピン１８が固定されており、本実施形態では目地プレート側支持板１６の両側面に他方の躯体側支持板１７の１対の中間支持板１９が各々交角段差状、かつ、スライド可能に接続されている。
【００２８】
他方の躯体側支持板１７は、本実施形態では、２対の中間支持板１９とこれらの中間支持板１９の外側面部に各々交角段差状、かつスライド可能に接続する１対の端部支持板２０とで構成されている。この中間支持板１９及び端部支持板２０は、それぞれ目地プレート側支持板１６と左右方向の寸法及び厚さが同程度に形成されており、正面視長方形状の金属製の板材が用いられる。
【００２９】
これらの中間支持板１９及び端部支持板２０の底面は、第２の目地プレート支持部６に支持されている。中間支持板１９及び端部支持板２０の上面及び底面には、例えば板状の滑り材（図示せず）等を設けてスムーズにスライド移動できるように構成することが望ましい。また、目地プレート支持部６にコロやベアリング等を備えてもよく、この場合には、中間支持板１９及び端部支持板２０の底面側に滑り材を設ける必要はない。
【００３０】
前記中間支持板１９は、その側面部に左右方向に延在する長孔状の係合部２１を有するとともに、他端部付近の両側面に連結ピン１８が固定されている。
【００３１】
また、端部支持板２０も側面部に左右方向に延在する係合部２１を有する。
目地プレート側支持板１６に隣接する１対の中間支持板（以下、「第１の中間支持板」という）１９の係合部２１には、前記目地プレート側支持板１６の連結ピン１８が挿入され、第１の中間支持板１９が左右方向にスライド移動可能に目地プレート側支持板１６に接続される。
【００３２】
この第１の中間支持板１９の連結ピン１８は、もう１対の中間支持板（以下、「第２の中間支持板」という）１９の係合部２１に挿入され、第２の中間支持板１９も左右方向にスライド移動可能に接続される。
【００３３】
なお、連結ピン１８は係合部２１から脱落しないように挿入されており、この連結ピン１８を係合部２１に挿入する方法としては、例えば、係合部２１の一端が他方の躯体側支持板１７を貫通するように形成し、連結ピン１８を挿入した後に、この係合部２１を塞ぐように端板を溶接、ネジ止め等する、他方の躯体側支持板１７や目地プレート側支持板１６を重ね合わせてから、連結ピン１８を係合部２１に挿入し、目地プレート側支持板１６固定する、係合部２１に連通するように略垂直方向にピン挿入部を形成し、このピン挿入部から連結ピン１８を挿入する等の方法が考えられる。
【００３４】
この第２の中間支持板１９の連結ピン１８は、端部支持板２０の水平長孔状の係合部２１に挿入されて接続されており、この端部支持板２０は、他端部が他方の躯体４の第２の目地プレート支持部６の端部壁６ａに取り付けられている。
すなわち、支持板１８は全体として、一端部が目地プレート側支持板１６に接続されるとともに、他端部が他方の躯体４に接続され、かつ、カバープレート８の底面を支持している。
【００３５】
ところで、目地プレート側支持板１６と支持板１７の取付態様としては、平面視で交角状（略く形状）となるように配置することで、地震によって目地部が狭くなった場合に、第２の目地プレート支持部６に地震による揺れ動きを幅に加えて目地プレート側支持板１６の左右方向の寸法程度の余裕があれば、地震による揺れ動きを吸収することができ、第２の目地プレート支持部６の寸法を大きくしなくても目地プレート支持体９が破損することなく揺れ動きを吸収できる。
【００３６】
また、目地プレート側支持板１６や中間支持板１９、端部支持板２０は、通常状態（例えば図１ように地震が発生していない状態）において、左右方向の長さの略半分程度が重なり合っている。
【００３７】
地震で左右の躯体３、４が左右方向に揺れ動き目地部２が狭くなると、図９に示すように、目地プレート７が他方の躯体４側へスライド移動し、地震による揺れ動きを吸収する。
【００３８】
このときカバープレート支持体９は、目地プレート側支持板１６と端部支持板２０が接近するようにスライド移動し、破損等することなく地震による揺れ動きを吸収するとともに、カバープレート８の底面を支持する。
【００３９】
地震による揺れ動きが終了すると、目地プレート側支持板１６と端部支持板２０が離間するようにスライド移動し、カバープレート支持体９が伸長し、通常状態に復帰する。
【００４０】
この時、自動的に中間支持板１９が所定の位置に位置（通常時の状態に復帰）するように、中間支持板１９を所定の位置に位置させる位置調節手段（図示せず）を設けることが望ましい。具体的には、中間支持板１９に付勢力を付与する付勢具等が考えられる。例えば、中間支持板１９にコイルばねの一端を固定し、他方の躯体４、目地プレート７又は隣り合う支持板等に他端部を固定する等の方法や、長孔状の係合部２１にバネ等を設けて連結ピン１８を付勢する等の方法が考えられる。このように中間支持板１９に付勢力等を付与することにより自動的に通常状態に復帰することができ、カバープレート８を偏りなく支持することができる。
【００４１】
また、このように付勢具を用いて付勢することにより地震による揺れ動きから復帰するだけでなく、通常時も所定の位置に中間支持板１９を位置させることができる。
【００４２】
ところで、このような付勢具等の位置調節手段を用いない場合には、地震による揺れ動きの後に通常状態に復帰せず偏りが生じるが、そのように中間支持板１９等が配置されていても、全体として面接触でカバープレート８の底面を支持できるので、自動的に通常状態に復帰した場合と同様な効果を得ることができる。
【００４３】
地震で躯体３、４が左右方向に揺れ動き目地部２が広くなると、図１０に示すように、目地プレート７が他方の躯体４から離間する方向にスライド移動し、地震による揺れ動きを吸収する。
【００４４】
このときカバープレート支持体９は、目地プレート側支持板１６と端部支持板２０が離間するようにスライド移動し、破損等することなく地震による揺れ動きを吸収するとともに、カバープレート８の底面を支持する。
【００４５】
地震による揺れ動きが終了すると、目地プレート側支持板１６と端部支持板２０が接近するようにスライド移動し、カバープレート支持体９が縮小し通常状態に復帰する。
なお、図示しないが、左右の躯体３、４が異なる前後方向に揺れ動いた場合には、目地プレート７は第１の目地プレート支持部５上を前後方向にスライド移動し揺れ動きを吸収する。
【００４６】
［発明を実施するための異なる形態］
次に、図１１乃至図２３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００４７】
図１１乃至図１３に示す本発明を実施するための第２の形態において、前記本発明を実施するための第１の形態と主に異なる点は、１対の端部支持板２０のみで構成した他方の躯体側支持板１７Ａにした点で、このようなカバープレート支持体９Ａ及びカバープレート支持体９Ａを用いた床用目地装置１Ａにしても、前記本発明を実施するための第１の形態と同様の作用効果を得ることができる。
【００４８】
図１４乃至図１６に示す本発明を実施するための第３の形態において、前記本発明を実施するための第１の形態と主に異なる点は、溝状の係合部２１Ａを備える中間支持板１９Ａ及び端部支持板２０Ａを用いた他方の躯体側支持板１７Ｂにするとともに、目地プレート側支持板１６の一方の側面のみに他方の躯体側支持板１７Ｂを接続した点で、このようなカバープレート支持体９Ｂ及びカバープレート支持体９Ｂを用いた床用目地装置１Ｂにしても、前記本発明を実施するための第１の形態と同様の作用効果を得ることができる。
【００４９】
本実施形態の場合、例えば図１６に示すように、目地プレート側支持板１６、１枚の中間支持板１９Ａ、１枚の中間支持板１９Ａ、端部支持板２０Ａのように一方の側面側に板厚分だけ前後方向にずらして接続する。中間支持板１９Ａ及び端部支持板２０Ａは、本実施形態では、断面視リップ溝形鋼形状の部材を用い、その端部に端板を固定しているが、中実の板材に溝状の係合部２１Ａを形成してもよい。
【００５０】
図１７乃至図１９に示す本発明を実施するための第４の形態において、前記本発明を実施するための第１の形態と主に異なる点は、前記第１の実施形態のカバープレート支持体９と、係合部２１を形成した１対の目地プレート側支持板１６Ａ、２対の中間支持板１９及び連結ピン１８を備えた１枚の端部支持板２０Ｂで構成されるカバープレート支持体９Ｃ（カバープレート支持体９と区別するために、便宜上「第２のカバープレート支持体９Ｃ」という）を用い、カバープレート支持体９と第２のカバープレート支持体９Ｃを前後方向に交互に配置して床用目地装置１Ｃを構成した点で、このような床用目地装置１Ｃにしても、前記本発明を実施するための第１の形態と同様の作用効果を得ることができるとともに、より効果的にカバープレート８を支持することができる。
【００５１】
すなわち、１枚の目地プレート側支持板１６と、この目地プレート側支持板１６に他方の躯体側に拡開するように接続された他方の躯体側支持板１７からなる平面視略く字状のカバープレート支持体９と、１対の目地プレート側支持板１６Ａと、この目地プレート側支持板１６Ａに他方の躯体側に収束するように接続された他方の躯体側支持板１７Ｃからなる平面視略逆く字状の第２のカバープレート支持体９Ｃを交互に配置することにより、カバープレート支持体９、９Ｃを多く配置することができ、カバープレート８の全体を偏りなく支持することができる。
【００５２】
ところで、１対の目地プレート側支持板１６Ａと１枚の端部支持板２０により構成した第２のカバープレート支持体９Ｃとしてもよく、この場合、前記第２の実施形態で用いたカバープレート支持体９Ａとこの第２のカバープレート支持体９Ｃとを前後方向に交互に配置することで、同様の効果を得ることができる。
【００５３】
また、カバープレート９と第２のカバープレート支持体９Ｃを交互に配置せず、第２のカバープレート支持体９Ｃのみでカバープレート８を支持してもよい。
【００５４】
図２０乃至図２３に示す本発明を実施するための第５の形態において、前記本発明を実施するための第１の形態と主に異なる点は、上面と下面から僅かに突出するようにローラー状の滑り材２２を設けた中間支持板１９Ｂを備える他方の躯体側支持板１７Ｄと、上面と下面から僅かに突出するようにローラー２２を設けた目地プレート側支持板１６Ｂを用いたカバープレート支持体９Ｄ及びこのカバープレート支持体９Ｄを用いた床用目地装置１Ｄにした点で、このようなカバープレート支持体９Ｄ及びカバープレート支持体９Ｄを用いた床用目地装置１Ｄにしても、前記本発明を実施するための第１の形態と同様の作用効果を得ることができる。
【００５５】
本実施形態では、中間支持板１９Ｂ等の左右端部付近の上下端部付近にローラー２２が挿入され、前後方向に貫通する略円筒形状の凹所２３を形成し、この凹所２３にローラー２２を挿入して前後方向の側面を取付板２４等により塞ぐことでローラー２２を取り付けている。このローラー２２は、中間支持板１９Ｂ等の上面又は底面から数ミリ、本実施形態では、２ミリ程度突出しているだけなので、左右方向にスムーズにスライド移動ができるようになるとともに、カバープレート８の自重やカバープレート８の上面にかかる荷重によりカバープレート８の底面がローラー２２以外の部位にも接するため、カバープレート８を面接触状態で支持できるものである。
【００５６】
なお、本発明の実施形態では、目地プレート支持部材については、本発明の実施形態では枠状の目地プレート支持部材と、この目地プレート支持部材に１枚の板状の目地プレート本体を設けて目地プレートを構成しているが、一端部が一方の躯体に回転可能に取り付けられた複数個のバー状の目地プレート支持部材を用いて、この上面に複数個の目地プレート本体を枢支し、地震によって左右の躯体が異なる前後方向に揺れ動いた場合に、目地プレート支持部材が取付端部を支点に前後方向に回動して地震による揺れ動きを吸収するように構成してもよい。
【００５７】
浅皿状の目地プレート本体にモルタル等の充填部材を充填した目地プレートや、厚板状の目地プレート等を用いることもできる。
【００５８】
以上のとおりであるから、本発明のカバープレート支持体は、一方と他方の躯体間の目地部を塞ぐ目地プレートとこの目地プレートに一部が支持されるカバープレートを有する床用目地装置に用いられるカバープレート支持体であって、前記床用目地プレートに一端部が接続されるとともに、その上面で前記カバープレートを支持する目地プレート側支持板と、この目地プレート側支持板に接続され、かつ、その上面で前記カバープレートを支持する他方の躯体側支持板とで構成され、地震によって目地部の幅が変化した場合には、前記目地プレート側支持板と前記他方の躯体側支持板の重なり幅が増減して地震による揺れ動きを吸収するとともに、前記カバープレートを支持することができることを特徴とする。
【産業上の利用可能性】
【００５９】
本発明はカバープレート支持体及びこのカバープレート支持体を用いた床用目地装置を製造する産業で利用される。
【符号の説明】
【００６０】
１、１Ａ、１Ｂ、１Ｃ、１Ｄ：床用目地装置、
２：目地部、                        ３：一方の躯体、
４：他方の躯体、                    ５：第１の目地プレート支持部、
６：第２の目地プレート支持部、      ７：目地プレート、
８：カバープレート、
９、９Ａ、９Ｂ、９Ｃ、９Ｄ：カバープレート支持体、
１０：滑動部材、                    １１：目地プレート支持部材、
１２：目地プレート本体、            １３：補強部材、
１４：固定具、                      １５：傾斜面、
１６、１６Ａ、１６Ｂ：目地プレート側支持板、
１７、１７Ａ、１７Ｂ、１７Ｃ、１７Ｄ：他方の躯体側支持板、
１８：連結ピン、                    １９、１９Ａ：中間支持板、
２０、２０Ａ、２０Ｂ：端部支持板、  ２１、２１Ａ：係合部、
２２：滑り材、                      ２３：凹所、
２４：取付板。
【図１】
2019157484.tif 000003
【図２】
2019157484.tif 000004
【図３】
2019157484.tif 000005
【図４】
2019157484.tif 000006
【図５】
2019157484.tif 000007
【図６】
2019157484.tif 000008
【図７】
2019157484.tif 000009
【図８】
2019157484.tif 000010
【図９】
2019157484.tif 000011
【図１０】
2019157484.tif 000012
【図１１】
2019157484.tif 000013
【図１２】
2019157484.tif 000014
【図１３】
2019157484.tif 000015
【図１４】
2019157484.tif 000016
【図１５】
2019157484.tif 000017
【図１６】
2019157484.tif 000018
【図１７】
2019157484.tif 000019
【図１８】
2019157484.tif 000020
【図１９】
2019157484.tif 000021
【図２０】
2019157484.tif 000022
【図２１】
2019157484.tif 000023
【図２２】
2019157484.tif 000024
【図２３】
2019157484.tif 000025